(57)【要約】      （修正有）【課題】主としてセルロース系成分のみで構成された地球環境にやさしいループピンを提供する。【解決手段】セルロース系繊維成分を含む糸条体２で構成されたループピン１であって、ループピンは、糸条体の第１の端部３の近傍に第１の結び目部５が設けられ、糸条体の第２の端部４の近傍部には、第２の端部とそれに続く糸条体の部分により形成される閉鎖状輪状部を残存させた止め結び目構造の当該閉鎖状輪状体部内に、糸条体の第１の端部とそれに続く糸条体を折り返し状にして嵌入通過せしめ、止め結び目構造部の１方の側に、閉鎖状輪状体部９が残存保存された第２の結び目部１２が設けられている。【選択図】図１
0003224610.tif 000002
【実用新案登録請求の範囲】
【請求項１】
主としてセルロース系繊維成分を含む糸条体で構成されたループピンであって、当該ループピンは、当該糸条体の一方の端部である第1の端部の近傍に於いては、当該糸条体の実質外径よりも大なる外径を有する膨出部を形成した第１の結び目部が設けられていると共に、当該糸条体の他方の端部である第２の端部の近傍部においては、当該第２の端部を含み、当該第２の端部近傍部を構成する当該糸条体の部分により形成される閉鎖状輪状部を残存させた止め結び目構造の当該閉鎖状輪状体部内に、当該糸条体の第１の端部とそれに引き続く当該糸条体の部分を折り返し状にして嵌入通過せしめ、当該止め結び目構造部の一方の側に、当該糸条体の第１の端部と第２の端部とが併置され、当該止め結び目構造部の他方の側には、当該糸条体で形成された閉鎖状輪状体部が残存保存された第２の結び目部が設けられており、且つ、当該閉鎖状輪状体部の閉鎖状開口部の大きさが任意に調整可能となるように構成されている事を特徴とするループピン。
【請求項２】
当該第１の結び目部は、止め結び目構造、固止め結び目、自在結び目、もやい結び目、二重止め結び目、二重８止め結び目等を含む公知の結び目から選択された一つの結び目である事を特徴とする請求項１記載のループピン。
【請求項３】
当該第２の結び目部に於ける当該閉鎖状輪状体部は、当該閉鎖状輪状体部部の近傍に位置する当該糸条体の当該一方の端部に連なる側の当該糸条体部分を当該一方の端部側方向に牽引する事によりその開口部の大きさを調整出来る様に構成されている事を特徴とする請求項１又は２に記載のループピン。
【請求項４】
請求項１乃至３の何れかにより構成された当該ループピンに適宜のラベルを添着せしめた後に、当該ループピンの当該糸条体に於ける当該一方の端部を適宜の商品の適宜の部分に係合させた後に、当該一方の端部とそれに続く当該第１の結び目部を、当該ループピンに於ける当該第２の結び目構造部の当該閉鎖状輪状体部内を挿入通過させた状態で、当該第２の結び目部に連なる当該他方の端部を構成する糸条体部分と当該第２の結び目部に近接した当該一方の端部に連なる糸条体部分とを同時に反対方向に牽引して当該一方の端部とそれに続く当該第１の結び目部が、当該ループ部を構成する当該糸条体部分により緊締せしめられている事を特徴とするループピン。
【請求項５】
請求項１乃至４の何れかにより構成されたループピンであって、当該ループピンに於ける当該第１の端部と当該閉鎖状輪状部を含む当該第２の端部とを空間領域に於いて相互に近接接近させた場合に、当該第１の端部と当該第２の端部間に配置されている当該糸条体は、均一状に湾曲せしめられ、その内部で単一の平面を形成するループ体が構成される事を特徴とするループピン。
【考案の詳細な説明】
【技術分野】
【０００１】
本考案は、ループピンに関するものであり、更に詳しくは、適宜の商品に適宜のタグ、値札、登録商標、品質表記、製造業者名、販売業者名等を表示した表示具を添着する為に使用される係止具つまりループピンに関するものである。
【背景技術】
【０００２】
従来より、上記した目的のために、各種の値札、タグ、品質表示標、登録商標等を所望の商品に添着して販売する為に、当該ループピンが多数の異なる業界に於いて、数多く使用されてきていた。
然しながら、当該ループピンは、そのほとんどの部分がプラスチック樹脂で構成されており、その理由は、原料が一般的なもので、安価で強度が有り、耐久性が良く、大量生産が可能で且つ軽量で柔軟性を持っている事から、取り扱いも容易であるため、個々の形状や構造に関しては、相互に若干の相違がみられるものの、これまでに長期間に亘って、多種多様な商品の流通経路段階で、国内のみならず世界中で便利に且つ大量に使用されてきているものである。
然しながら、近年、地球環境保護の観点から、プラスチック製品の再生利用の機運が高まって来ており、当該プラスチック製品の再生技術の開発がかなり進展しつつある状況と成って来ている。
【０００３】
係る環境保護を目的とした当該再生技術の開発とは別に、極近年には、プラスチック製品の大量の廃棄物が原因となっている深刻な海洋汚染問題が急浮上してきており、海洋資源の保護と海洋生物の保護を世界的に実行しなければならない状況が国連を中心に世界各国で報告されて来ており、係る海洋水汚染の防止並びに既に汚染された海洋水の水質の改善を早急に実行する必要性が叫ばれて来ている。
つまり、現在に於ける世界環境保護に関する喫緊の課題の一つである、マイクロプラスチックによる海洋汚染問題がそれであり、昨今では、世界規模による海洋汚染の発生防止に関する取り組みと、既に分散されている当該マイクロプラスチックの回収或いはそれらの分解技術の開発等がそのターゲットとして挙げられている。
然しながら、現段階では、これらの各問題を短期間に解決し、地球規模の環境保全と環境破壊の防止に貢献できる技術や方法は未だ、ほとんど見当たらないのが現実である。
そうすると、その間のギャップを埋める為に少なくともこれ以上当該海洋汚染の環境状態を悪化させない為の人間の知恵としては、現在全世界的に使用されているプラスチック製品を使用しない方向に舵を切る事が、近々の段階で実現可能な手段として考えられることであり、係る手段の実現に地球上の全人類が検討し、可能なものから逐次実行して行く事が必要である。
【０００４】
勿論、生分解性のあるプラスチックの開発も行われているが、現段階では、未だ実用化に至ってはいないのが現状である。
係る状況を勘案するならば、現段階で、比較的産業界に受け入れられ易い方法としては、多少の不便を犠牲にしても、現在実際に多用されている多くのプラスチック製品を、プラスチックを原材料として使用しない形で、且つそれとは別の原材料を主として製造する方向にシフトする事が望ましい手段の一つである事は間違いないことである。
一方、大変好ましいことではあるが、一部の産業界に於いても、係る地球環境保全問題に対して積極的に理解を示す企業が多く現れてきている事は、頼もしい状況であり、係る企業に於いては、現在実用生産中のプラスチック製品を、同じ製品構造のままで、プラスチックを原料として使用しない製品に代替していこうとする基本思想を採用しているのである。
本考案は、このような近年の地球環境問題の深刻さを早急に解決し、美しい自然が保たれた地球環境の再生と保全に寄与する事を目的とし、且つ、上記した産業界に於ける新しい機運に呼応する事を目的として、従来、プラスチック素材を原料として全ての部材を構成してきていた当該ループピンを、プラスチック素材を一切使用せずに、植物性繊維成分つまりセルロース系成分のみで構成する事を目的とした為であり、同時に、大量生産に適し且つ機械的な結束・係合操作にも十分対応する事が出来るループピンを提供しようとするものである。
【０００５】
処で、これまでに、商品や製品の流通段階に於いて、当該所望の商品や製品に、前記した様な一般的な、各種の値札、タグ、品質表示標、登録商標等を添着して販売する為に使用されている、ループピン、ループファスナー、係止具、係止ファスナー、タグピン等の一般的に称せられている当該各種の値札、タグ、品質表示標、登録商標等貼着具としては、多数のそれぞれ構造を相互に異ならせた製品が複数種使用されており、その殆ど全てのループピン等の貼着具は、その全体がプラスチック樹脂を原材料として一体成型方式により製造されたものが使用されている。
例えば、特開２００１−１９９４１８号公報（特許文献１）には、当該公報に於ける図１１乃至図１２、図１４、及び図１７乃至図１８（本願に於ける図５）に示される様な構造を有する、全体がプラスチック樹脂を原材料として一体成型方式により製造されたループピンの構造が一例として示されている。
【０００６】
一具体例でとしての当該ループピン１０は、可撓性を有するフィラメント部１１と、当該フィラメント部１１の一方の端部に設けられた適宜の係合部を有する挿通頭部１２と、当該フィラメント部１１の他方の端部に設けられている前記挿通頭部１２を不可逆的に通す為の穴１３を有するソケット部１４とから構成されているものであり、当該のループピン１０は通常ナイロン、ポリプロピレン、ポリエステル等の合成樹脂で一体成形されている。
そして、これらは、従来のループピンと同様に通常ナイロン、ポリプロピレン、ポリエステル等の合成樹脂で一体成形されている。
又、従来に於ける係るループピン１０の１具体例に付いて特許文献１の図１７を参照して更に説明すると、従来のループピン１０のソケット部１４には、挿通頭部１２を不可逆的に通す挿通穴１３を有しており、且つ当該挿通穴１３の内部には、当該挿通頭部１２の一部に段状に細径とされた係合部１２ａが係止し得るが設けられている。当該係合部１６は、挿通穴１３内に変形可能に突出形成されている。
【０００７】
係る操作を実行する事によって特許文献１の図１８（本考案に於ける図６）に示す様に、当該ループピン１０の当該挿通頭部１２を当該ソケット部１４に於ける当該挿通穴１３の内部に挿入嵌合させることにより、当該挿通頭部１２の下端部に形成された段差部１２と当該ソケット部１４に於ける当該挿通穴１３の内部に設けられている当該一対の係合部１６とが係合することにより、当該挿通頭部１２が不可逆的に当該ソケット部１４内に係止固定されることになり、それによって、当該ループピン１０於ける当該フィラメント部１１に当該ラベル等を係止できるループが形成されるのである。
一方、当該従来からのループピン１０の使用方法或は適宜の商品や製品に当該ループピン１０を使用して、任意のラベルやタグ或は値札等を取り付ける方法は、特に特定はされていないが、例えば、特開２００６−１６０３６７号公報（特許文献２）に於ける図１０（本考案に於ける図１１）に示されている様に、例えば、当該ループピン１０のフィラメント部１１（１２）に、予め適宜のタグ、レベル等を係止せしめた後に、当該ループピン１０の一方の端部、例えば当該挿通頭部１２（１３）を所望の商品或は製品２００に於ける適宜の閉鎖空間であって、当該ループピン１０が挿入貫通可能な閉鎖空間、例えば当該特許文献２の図１０に於ける鞄の把手３００と当該商品２００の表面部との間に形成されている閉鎖空間部Ｓを通過させた後、当該挿通頭部１２（１３）を当該ループピン１０（１１）の他方の端部にある当該ソケット部１４（１５）内に不可逆的に挿入固定させることにより、当該任意の商品に任意のラベルやタグ或は値札等を取り付ける様にするものである。
【先行技術文献】
【特許文献】
【０００８】
【特許文献１】特開２００１−１９９４１８号公報
【特許文献２】特開２００６−１６０３６７号公報
【考案の概要】
【考案が解決しようとする課題】
【０００９】
従って、本考案の目的は、上記した近年の地球環境問題の深刻さを早急に解決し、美しい自然が保たれた地球環境の再生と保全に寄与する事を主たる目的とし、且つ、従来のループピンの機能と同等の機能を持ち、プラスチック素材を一切使用せずに、植物性繊維成分つまりセルロース系成分のみで構成されたループピンを提供する事を目的とするものであり、更には、大量生産に適し然も機械的な結束・係合操作にも十分対応する事が出来るループピンを提供するものである。
【課題を解決するための手段】
【００１０】
本考案は、上記した従来技術の問題点を解決し、上記した本考案の目的を達成する為に、基本的には、以下に示す様な技術構成を採用するものである。
即ち、本考案の基本的な態様は、主としてセルロース系繊維成分を含む糸条体で構成されたループピンであって、当該ループピンは、当該糸条体の一方の端部である第1の端部の近傍に於いては、当該糸条体の実質外径よりも大なる外径を有する膨出部を形成した第１の結目部が設けられていると共に、当該糸条体の他方の端部である第２の端部の近傍部においては、当該第２の端部を含み、当該第２の端部近傍部を構成する当該糸条体の部分により形成される閉鎖状輪状部を残存させた止め結び目構造の当該閉鎖状輪状体部内に、当該糸条体の第１の端部とそれに引き続く当該糸条体の部分を折り返し状にして嵌入通過せしめ、当該止め結び目構造部の一方の側に、当該糸条体の第１の端部と第２の端部とが併置され、当該止め結び目構造部の他方の側には、当該糸条体で形成された閉鎖状輪状体部が残存保存された第２の結び目部が設けられており、且つ、当該閉鎖状輪状体部の閉鎖状開口部の大きさが任意に調整可能となるように構成されている事を特徴とするループピンである．
【考案の効果】
【００１１】
本考案に係る当該ループピンは、上記した様な技術構成を採用している事から、従来一般的に使用されているプラスチック合成樹脂成分を原料として製造されている公知のループピンと略同様の機能及び動作を発揮することから、実用性に関しては当該合成樹脂製ループピンと全く遜色がなく、コスト的にも安価で経済的製品であることから、従来公知のループピンに対して十分対抗出来、実生産並びに実流通経路に於いても効果的に使用できるという作用効果を発揮する事が可能である。
更に、本考案に於いては、当該ループピンそのものが分解性のあるセルロース系の素材を使用して構成されているため、使用後には、特別の配慮或は処理を必要とせずそのまま廃棄処理する事が可能であると同時に、当該ループピンそのものが廃棄後に環境破壊を引き起こす原因とは全くならないという優れた作用効果も併せ持っているものである。
【図面の簡単な説明】
【００１２】
【図１】図１は、本考案に係るループピンの構成の概要を説明する為の平面図である。
【図２】図２は、本考案に係るループピンに於ける第２の端部近傍に設けられる第２の結び目とそれに連なる閉鎖状輪状体部の形成方法の一具体例を説明する図である。
【図３】図３は、本考案に係るループピンに於ける第１の端部近傍に設けられる第１の結び目を形成する方法の一具体例を説明する図である。
【図４】図４は、本考案に係るループピンを使用して、適宜の商品に適宜のタグ或いはラベル等を貼着させる方法の一具体例を説明する図である。
【図５】図５は、従来技術に於けるループピンの構造並びにその使用方法の一例を説明する図である。
【図６】図６は、従来技術に於けるループピンを使用して適宜の商品に適宜のラベル或いはタグ等を貼着させる方法の一例を説明する図である。
【図７】図７は、本考案に係るループピンの特性を説明する概略図である。
【考案を実施するための形態】
【００１３】
以下に、本考案に係る当該ループピン１の個々の構成に付いて、具体例の構成例を、図面を参照しながら詳細に説明する。
先ず、本考案に係る当該ループピン１の基本的態様に関する具体的な構成の例を説明する。
即ち、本考案に係る当該ループピン１の基本的態様に於ける基本的な技術構成は、図１に示す通りであり、図中、主としてセルロース系繊維成分を含む糸条体２で構成されたループピン１であって、当該ループピン１は、当該糸条体２の一方の端部である第1の端部３の近傍に於いては、当該糸条体２の実質外径よりも大なる外径を有する膨出部６を形成した第１の結び目部５が設けられていると共に、当該糸条体２の他方の端部である第２の端部４の近傍部においては、当該第２の端部４を含み、当該第２の端部近傍部１１を構成する当該糸条体２の部分７により形成される閉鎖状輪状部２５を残存させた止め結び目構造１０の当該閉鎖状輪状体部２６内に、当該糸条体２の第１の端部３とそれに引き続く当該糸条体の部分１１を折り返し状にして嵌入通過せしめ、当該止め結び目構造部１０の一方の側に、当該糸条体２の第１の端部３と第２の端部４とが併置され、当該止め結び目構造部１０の他方の側には、当該糸条体２で形成された閉鎖状輪状体部９が残存保存された第２の結び目部１２が設けられており、且つ、当該閉鎖状輪状体部９の閉鎖状開口部１３の大きさが任意に調整可能となるように構成されている事を特徴とするループピン１が示されている。
【００１４】
本考案に於ける当該ループピン１は上記した様な基本的構造を有するものであって、その全体は、主としてセルロース系繊維成分で構成された材料で一体的に形成されているものである。
本考案に係る当該ループピン1に於いて使用される構成材料であるセルロース系繊維成分は特に限定されるものではなく、主に植物を構成するセルロース系の繊維を使用することが望ましい。
当該繊維成分の形態としても特に特定されるものではなく、例えば、所望の木材を粉砕して形成されたパルプ材から抄紙して得た紙状のシートを適宜に裁断して、要すれば巻き上げ、撚り加工等を施して糸条化したものであっても良く、或は既に製造されている紙材料をそのまま使用することも可能である。
【００１５】
更には、麻、藁、草類、木の皮、植物の葉等、セルロース繊維長の長い全て植物繊維類もそのまま糸条体に形成して使用するか、適宜の撚り合わせ加工を付加して使用する事も可能である。
本考案に於ける1本の当該ループピン１を構成する当該糸条体２に使用される糸条の太さ或は長さは何れも特に限定されるものではないが、例えば、その太さ（繊度）としては、０．５ｍｍ乃至３．０ｍｍ、又その長さは、１５０ｍｍ乃至３００ｍｍが望ましい。
更に、本考案に於ける当該ループピン１に於ける当該第1の端部３の近傍に形成される当該第１の結び目部５を構成する当該膨出部６の太さも特定されるものではないが、例えば、２ｍｍ乃至４ｍｍ程度が望ましい具体例である。
【００１６】
一方、本考案に於ける当該ループピン１に於ける当該第２の端部４の近傍に形成される当該閉鎖状輪状体部９の大きさも特に限定されるものではないが、例えば、当該閉鎖状輪状部８の長さは、１０ｍｍ乃至２０ｍｍで、その幅は、５ｍｍ乃至１５ｍｍ程度である事が好ましい具体例である。
そして、本考案に於いて使用される当該ループピン１全体の長さ、つまり、当該閉鎖状輪状体部９の最先端部から当該第1の端部３までの長さが１４０ｍｍ乃至２５０ｍｍであることが好ましい具体例である。
更に、本考案に於ける当該ループピン１に於いては、当該第１の結目部５を構成する当該膨出部６は、当該第1の端部３から１０ｍｍ乃至２０ｍｍ離れた部位に形成されることが望ましく、且つ当該膨出部６は、当該ループピンを構成している当該糸条体２が自ら形成した結び目つまり当該第１の結び目部５により形成されていることが望ましい。
当該第１の結び目部５の構成については特に限定されるものではないが、例えば、止め結び、固止め結び、自在結び、もやい結び、二重止め結び或は二重８の字止め結び等の結び目構造が採用可能である。
【００１７】
一方、本考案に係る当該ループピン１に於ける当該第２の端部４近傍に、当該第２の結び目部１２を介して形成された、閉鎖状輪状部８が、その開口面積が自由に調整変化可能に構成された閉鎖状輪状体部９が設けられている事が特徴であり、更には、当該第２の結び目部１２を介して、当該閉鎖状輪状体部９が形成されている方向と反対側に、当該第２の端部４を含む当該第２の端部４に連なる当該糸条体２部分で形成されたひげ状部２０が形成されている。
【００１８】
当該ひげ状部２０の長さは特に特定されるものではないが、例えば、１０ｍｍ乃至２０ｍｍである事が望ましい具体例である。
又、当該糸条体２の第２の端部４に形成される当該閉鎖状輪状体部９を形成する為に使用される好ましい結び目、つまり当該第２の結び目部１２としては、後述する様に止め結び目構造部１０である。
本考案に於ける当該ループピン１の当該第1の端部３の近傍に形成される当該第１の結び目部５の形成方法は、図３に説明されている通り、極一般的に使用されている方法により構成されるものである。
【００１９】
以下に、当該第１の結び目部５を公知の止め結び目構造を使用して形成する場合の例を図３に示す。
即ち、図３（Ａ）に示す本考案で使用される、当該第1の端部３と当該第２の端部４とを有する所望の長さを持った当該糸条体２を図３（Ｂ）に示すとおり、当該糸条体２の当該第1の端部３を当該第２の端部４の方向に湾曲させ、当該糸条体２の一部分と交差させ、輪状態体部２１を形成させた後、図３（Ｃ）に示す様に、当該第1の端部３とそれに続く当該糸条体２部分を再度当該糸条体２の一部を越えて交差させた後に、当該第1の端部３とそれに続く当該糸条体２部分１１を当該輪状体部２１の内部を通過させて、図３（Ｄ）に示す様に、当該第1の端部３とそれに続く当該糸条体２部分１１を更に当該糸条体２の中心軸線方向に牽引することにより、当該止め結び目構造１０が形成され、図３（Ｅ）に示す様に、当該第１の結び目部５が形成される。
【００２０】
次に、本考案に係る当該ループピン1に於ける当該第２の端部４近傍に形成される当該第２の結び目部１２を介して形成される当該閉鎖状輪状体部９と当該ひげ状部２０の形成方法についてその1具体例を、図２を参照しながら説明する。
即ち、図２（Ａ）に示す本考案で使用される、当該第1の端部３とその近傍に形成された当該第１の結目部５及び当該第２の端部４とを有する所望の長さを持った当該糸条体２を図２（Ｂ）に示すとおり、当該糸条体２の当該第２の端部４を当該第１の端部３の方向に湾曲させ、当該糸条体２の一部分と交差させ、輪状体部２５を形成させた後、図２（Ｃ）に示す様に、当該第２の端部４とそれに続く当該糸条体２部分７を再度当該糸条体２の一部を越えて交差させた後に、当該第２の端部４とそれに続く当該糸条体２部分７を当該輪状体部２５の内部２６を通過させて、図２（Ｄ）に示す様に、当該第２の端部４近傍部に止め結び目１０を形成する。
【００２１】
その後、図２（Ｅ）に示す様に、当該糸条体２の当該第1の端部３とそれに続く糸条体２の部分１１を当該第２の端部４の方向に湾曲させながら当該輪状体部２５の内部２６内を通過させて、当該止め結び目１０の右側に当該糸条体２の一部で形成されたループ部９を残存させながら、当該第1の端部３とそれに続く当該糸条体２の部分１１を当該第２の端部４が存在する方向に引き出す事によって、図２（Ｆ）に示す様に、当該止め結び目構造部１０の一方の側に、当該糸条体２の第１の端部３と第２の端部４とが併置され、当該止め結び目構造部１０の他方の側には、当該糸条体２の一部１１で形成されたループ部９、つまり当該閉鎖状開口部１３を含む当該閉鎖状輪状体部９が残存保存された第２の結び目部１２が形成されることになる。
上記した本考案に係る当該ループピン1に於ける当該第２の端部４の具体的構造に関する拡大図が図２（Ｇ）に示されている。
【００２２】
この場合に於いて、当該糸条体２の当該第1の端部３とそれに続く糸条体２の部分１１を当該輪状体部２５の内部２６内を通過させるに際しては、当該糸条体２の当該第1の端部３とそれに続く糸条体２の部分１１を、図２（Ｆ）に示す様に、紙面の上側から下側に向けて、当該輪状体部２５の内部２６内を通過させる方法を採用しても良く或は、その反対に、当該糸条体２の当該第1の端部３とそれに続く糸条体２の部分１１を、図２（Ｈ）に示す様に、紙面の下側から上側に向けて、当該輪状体部２５の内部２６内を通過させる方法を採用することも可能である。
【００２３】
即ち、本考案に於ける当該ループピン１の当該第２の結び目部１２に於いては、当該止め結び目構造部１０の一方の側に、当該糸条体２の第１の端部３と第２の端部４とが併置され、当該止め結び目構造部１０の他方の側には、当該糸条体２で形成された閉鎖状輪状体部９が残存保存された第２の結び目部１２が設けられており、且つ、当該閉鎖状輪状体部９の閉鎖状開口部１３の大きさが任意に調整可能となるように構成されている事を特徴とするループピンが示されている。
上記したとおり、本考案にかかる当該ループピン1に於ける当該第１の結目部５は、止め結び目、固止め結び目、自在結び目、もやい結び目、二重止め結び目、二重８止め結び目等を含む公知の結び目から選択された一つの結び目である事が望ましい具体例である。
【００２４】
又、本考案にかかる当該ループピン1に於ける当該第２の結び目部１２に於ける当該ループ部である当該閉鎖状輪状体部９は、当該ループ部９の近傍に位置する当該糸条体２の当該一方の端部に連なる側の当該糸条体部分を当該一方の端部側方向に牽引する事により、好ましくは、当該糸条体２に於ける当該第1の端部３に連なる当該糸条体２の部分１１を当該第1の端部３の存在する方向に牽引する事により、その開口部の大きさを調整出来る様に構成されている事が望ましい具体例である。
更に、本考案に係る当該閉鎖状輪状体部９では、当該閉鎖状輪状体部９に形成された当該閉鎖状開口部１３の大きさが任意に調整可能となるように構成されている事が特徴である。
【００２５】
具体的に説明するならば、図２（Ｉ）及び図４（Ｄ）に示されている構成に於いて、当該止め結び目構造部１０が形成されている当該第２の結び目部１２を適宜の固定部材３１で固定して把持しておき、その状態に於いて、当該ループピン1で、当該第1の端部３に連なる当該糸条体２の一部１１を別の把持手段３２で把持しながら図中で示すＸ方向に当該把持手段３２を移動させることによって、当該閉鎖状開口部１３の大きさを任意の大きさに設定することが可能となる。
そのために、図示はされていないが、公知の糸条把持装置を対で適切な部位に配置させ、その双方の糸条把持操作を適切な制御手段を使用して連動操作させ、その後その一方の把持手段を他の把持手段から離反させる方向に移動させる制御を実行させることにより実現される。
【００２６】
本考案に係る当該ループピン１に設けられる当該ひげ状部２０は、当該ループピン１に対する機械的操作の実行に際し、ガイド部材としても有効に機能する。
尚、本考案に係る当該ループピン１は、長尺状に形成された当該糸条体２を適宜引き出しながら所望の長さに切断した後、適宜の結束装置を使用して、上記した通りの当該第１の結目部５と当該第２の結び目部１２とを、第1の端部３と当該第２の端部４のそれぞれの近傍部に個別に形成する様に、連続的に製造する事が望ましい具体例である。
【００２７】
次に、本考案に係る当該ループピン１を使用して、当該タグ等を適宜の商品や製品に貼着する方法についてその一具体例を説明する。
即ち、図４（Ａ）に示す通り、先ず、本考案に係る当該ループピン１を用意した後に、図４（Ｂ）に示す様に、当該糸条体２の一方の端部を適宜のタグ或はラベル類４０に設けられている挿入開口穴部４１内に挿通させて、当該糸条体２に当該タグ或はラベル類４０を係止させた後、当該糸条体２を適宜の商品２００の適宜の挿入穴部Ｓに挿通させた後、当該糸条体２に於ける当該第1の端部３を、適宜の把持固定部材３３を使用して、当該糸条体２に於ける当該第２の端部４近傍に形成されている当該第２の結び目部１２の当該閉鎖状輪状体部９の近傍に移動させる。
【００２８】
その際、図４（Ｃ）に示す様に、当該ループピン1に於ける当該糸条体２の当該第２の結び目部１２の部分は、上記した様な、当該第２の結び目部１２を把持固定する適宜の固定部材３１で固定されていることが望ましく、又、当該第２の結び目部１２から当該第1の端部３に連なる当該糸条体２の一部１１は、当該第1の端部３に連なる当該糸条体２の一部１１を把持する別の把持手段３２で把持固定されている事が望ましい。
その後、図４（Ｂ）に示す様に、当該閉鎖状輪状体部９の近傍に移動せしめられた当該糸条体２の当該第１の結び目部５を含む当該第1の端部３部分は、例えば、別途設けられている、先端部に彎曲状に形成されたフック部５１と当該フック部５１の下端部に旋回自在に形成され当該フック部５１を開口状態と閉鎖状態に設定することが可能なベラ状部５２とを有する引掛針部５０を設け、当該引掛針部５０を適宜の制御手段５４でその存在位置を移動可能に構成された当該引掛針部保持手段５３により当該引掛針部５０の移動位置を任意に変異させるように構成しておき、当該引掛針部５０の当該フック部５１を当該フック部５１が開口状態のまま、当該閉鎖状輪状体部９（ループ部）の開口部8内に進入通過して、当該閉鎖状輪状体部９の近傍に配置された当該糸条体２の当該第1の端部３に形成されている当該第１の結び目部５を当該フック部５１で引っ掛けて把持し、その後、当該引掛針部５０の当該フック部５１を当該ベラ状部５２を閉じて閉鎖状態にして、当該第１の結び目部５を当該フック部５１内に保持した状態で、当該引掛針部５０を元の位置に復帰させることにより、当該フック部５１を当該第１の結び目部５を含む当該第1の端部３近傍の糸条体２部分を咥えたまま、当該閉鎖状輪状体部９（ループ部）の開口部8内をすり抜けて通過し、図４（Ｃ）に示されている通りの構造が形成される。
【００２９】
その後、図４（Ｄ）に示されている様に、当該第２の結び目部１２を把持固定している把持部材３１をそのままにして、当該糸条体２の当該第２の結び目部１２から当該第1の端部３に向けて延展している当該糸条体２の部分１１を把持している当該把持部材３２を当該第1の端部３が存在する方向に適宜の制御手段を使用して移動させることにより、当該閉鎖状輪状体部９の当該閉鎖状輪状部８の開口部を締め付けて、当該第１の結目部５を含む当該糸条体２の当該第１の結目部５部分を当該第２の結び目部１２内に固定することにより、本考案に係る当該ループピン１のループが形成され、所望のタグ類４０が当該所望の商品に貼着せしめられる事になる。
【００３０】
本考案に於いては、別の具体例としては、上記した基本的技術構成を有する当該ループピン１に適宜のラベル４０を貼着せしめた後に、当該ループピン１の当該糸条体２に於ける当該一方の端部３を適宜の商品２００の適宜の部分Ｓに係合させた後に、当該一方の端部３とそれに続く当該第１の結び目部５を、当該ループピン１に於ける当該第２の端部４とそれに連なる糸条体２の部分7により形成された当該第２の結び目部１２の当該ループ部９内を挿入通過させた状態で、当該第２の結び目部１２に連なる当該他方の端部４を構成する糸条体部分７と当該第２の結び目部に近接した当該一方の端部３に連なる糸条体部分１１とを同時に反対方向に牽引して当該一方の端部３とそれに続く当該第１の結び目部５が、当該ループ部９を構成する当該糸条体部分１１により緊締せしめられているループピン１であっても良い。
【００３１】
此処で、本考案に係る当該ループピン１の特徴的な特性について説明するならば、当該ループピン１の当該糸条体２は、その使用原材料の持つ特性・効果を最大限有効に活用したもので、適度の硬性と適度の弾発性を有するものであり、その為、当該ループピン１に於ける当該第１の端部３と当該閉鎖状輪状部８を含む当該第２の端部４とを空間領域に於いて相互に近接接近させた場合に、当該第１の端部３と当該第２の端部４間に配置されている当該糸条体２は、均一状に湾曲せしめられ、その内部で単一の平面を持つループ体６０が形成されるものであり、当該ループ体６０がぐにゃぐにゃで捩れた見てくれの悪いループ形状ではなく、従来のプラスチック製ループピンに於けるループ体と同一の美しいループ体６０が形成されるので、ラベル等の貼着作業もスムーズに実行出来ると言う作用効果を発揮するものである。
【符号の説明】
【００３２】
１…ループピン
２…糸条体
３…第1の端部
４…第２の端部
５…第１の結び目部
６…膨出部
７…糸条体の部分、第２の端部とそれに続く当該糸条体部分
８…閉鎖状輪状部
９…閉鎖状輪状体部
１０…止め結び目構造
１１…第１の端部近傍部、
１２…第２の結び目部
１３…閉鎖状開口部
２０…ひげ状部
２１…輪状態体部
２５…閉鎖状輪状部
２６…輪状体部２５の内部
３１…固定部材
３２…把持手段
３３…把持固定手段
４０…タグ或はラベル類
５０…引掛針部
５１…フック部
５２…ベラ状部
５３…引掛針部保持手段
５４…制御手段
６０…ループ体
２００…適宜の商品
Ｓ…挿入穴部
【図１】
0003224610.tif 000003
【図２】
0003224610.tif 000004
【図３】
0003224610.tif 000005
【図４】
0003224610.tif 000006
【図５】
0003224610.tif 000007
【図６】
0003224610.tif 000008
【図７】
0003224610.tif 000009
【手続補正書】
【提出日】令和1年10月30日(2019.10.30)
【手続補正１】
【補正対象書類名】実用新案登録請求の範囲
【補正対象項目名】全文
【補正方法】変更
【補正の内容】
【実用新案登録請求の範囲】
【請求項１】
主としてセルロース系繊維成分を含む糸条体で構成されたループピンであって、当該ループピンは、当該糸条体の一方の端部である第1の端部の近傍に於いては、当該糸条体の実質外径よりも大なる外径を有する膨出部を形成した第１の結び目部が設けられていると共に、当該糸条体の他方の端部である第２の端部の近傍部においては、当該第２の端部を含み、当該第２の端部近傍部を構成する当該糸条体の部分により形成される閉鎖状輪状部を残存させた止め結び目構造の当該閉鎖状輪状体部内に、当該糸条体の第１の端部とそれに引き続く当該糸条体の部分を折り返し状にして嵌入通過せしめ、当該止め結び目構造部の一方の側である、当該第２の端部が予め存在している方の側に、当該糸条体の第１の端部と第２の端部とが併置され、当該止め結び目構造部の他方の側には、当該糸条体で形成された閉鎖状輪状体部が残存保存された第２の結び目部が設けられており、且つ、当該閉鎖状輪状体部の閉鎖状開口部の大きさが任意に調整可能となるように構成されている事を特徴とするループピン。
【請求項２】
当該第１の結び目部は、止め結び目構造、固止め結び目、自在結び目、もやい結び目、二重止め結び目、二重８止め結び目等を含む公知の結び目から選択された一つの結び目である事を特徴とする請求項１記載のループピン。
【請求項３】
当該第２の結び目部に於ける当該閉鎖状輪状体部は、当該閉鎖状輪状体部の近傍に位置する当該糸条体の当該一方の端部である、当該第１の端部に連なる側の当該糸条体部分を当該一方の端部側方向に牽引する事によりその開口部の大きさを調整出来る様に構成されている事を特徴とする請求項１又は２に記載のループピン。
【請求項４】
請求項１乃至３の何れかにより構成された当該ループピンに適宜のラベルを添着せしめた後に、当該ループピンの当該糸条体に於ける当該一方の端部を適宜の商品の適宜の部分に係合させた後に、当該一方の端部とそれに続く当該第１の結び目部を、当該ループピンに於ける当該第２の結び目構造部の当該閉鎖状輪状体部内を挿入通過させた状態で、当該第２の結び目部に連なる当該他方の端部を構成する糸条体部分と当該第２の結び目部に近接した当該一方の端部に連なる糸条体部分とを同時に反対方向に牽引して当該一方の端部とそれに続く当該第１の結び目部が、当該ループ部を構成する当該糸条体部分により緊締せしめられている事を特徴とするループピン。
【請求項５】
請求項１乃至４の何れかにより構成されたループピンであって、当該ループピンに於ける当該第１の端部と当該閉鎖状輪状部を含む当該第２の端部とを空間領域に於いて相互に近接接近させた場合に、当該第１の端部と当該第２の端部間に配置されている当該糸条体は、均一状に湾曲せしめられ、その内部で単一の平面を形成するループ体が構成される事を特徴とするループピン。
【手続補正２】
【補正対象書類名】明細書
【補正対象項目名】００１０
【補正方法】変更
【補正の内容】
【００１０】
本考案は、上記した従来技術の問題点を解決し、上記した本考案の目的を達成する為に、基本的には、以下に示す様な技術構成を採用するものである。
即ち、本考案の基本的な態様は、主としてセルロース系繊維成分を含む糸条体で構成されたループピンであって、当該ループピンは、当該糸条体の一方の端部である第1の端部の近傍に於いては、当該糸条体の実質外径よりも大なる外径を有する膨出部を形成した第１の結目部が設けられていると共に、当該糸条体の他方の端部である第２の端部の近傍部においては、当該第２の端部を含み、当該第２の端部の近傍部を構成する当該糸条体の部分により形成される閉鎖状輪状部を残存させた止め結び目構造の当該閉鎖状輪状体部内に、当該糸条体の第１の端部とそれに引き続く当該糸条体の部分を折り返し状にして嵌入通過せしめ、当該止め結び目構造部の一方の側である、当該第２の端部が予め存在している方の側に、当該糸条体の第１の端部と第２の端部とが併置され、当該止め結び目構造部の他方の側には、当該糸条体で形成された閉鎖状輪状体部が残存保存された第２の結び目部が設けられており、且つ、当該閉鎖状輪状体部の閉鎖状開口部の大きさが任意に調整可能となるように構成されている事を特徴とするループピンである．
【手続補正３】
【補正対象書類名】明細書
【補正対象項目名】００１３
【補正方法】変更
【補正の内容】
【００１３】
以下に、本考案に係る当該ループピン１の個々の構成に付いて、具体例の構成例を、図面を参照しながら詳細に説明する。
先ず、本考案に係る当該ループピン１の基本的態様に関する具体的な構成の例を説明する。
即ち、本考案に係る当該ループピン１の基本的態様に於ける基本的な技術構成は、図１に示す通りであり、図中、主としてセルロース系繊維成分を含む糸条体２で構成されたループピン１であって、当該ループピン１は、当該糸条体２の一方の端部である第1の端部３の近傍に於いては、当該糸条体２の実質外径よりも大なる外径を有する膨出部６を形成した第１の結び目部５が設けられていると共に、当該糸条体２の他方の端部である第２の端部４の近傍部においては、当該第２の端部４を含み、当該第２の端部近傍部１１を構成する当該糸条体２の部分７により形成される閉鎖状輪状部２５を残存させた止め結び目構造１０の当該閉鎖状輪状体部２６内に、当該糸条体２の第１の端部３とそれに引き続く当該糸条体の部分１１を折り返し状にして嵌入通過せしめ、当該止め結び目構造部１０の一方の側の側である、当該第２の端部４が予め存在している方の側に、当該糸条体２の第１の端部３と第２の端部４とが併置され、当該止め結び目構造部１０の他方の側には、当該糸条体２で形成された閉鎖状輪状体部９が残存保存された第２の結び目部１２が設けられており、且つ、当該閉鎖状輪状体部９の閉鎖状開口部１３の大きさが任意に調整可能となるように構成されている事を特徴とするループピン１が示されている。
【手続補正４】
【補正対象書類名】明細書
【補正対象項目名】００２４
【補正方法】変更
【補正の内容】
【００２４】
又、本考案にかかる当該ループピン1に於ける当該第２の結び目部１２に於ける当該ループ部である当該閉鎖状輪状体部９は、当該ループ部９の近傍に位置する当該糸条体２の当該一方の端部である、当該第１の端部３に連なる側の当該糸条体部分を当該一方の端部側方向に牽引する事により、好ましくは、当該糸条体２に於ける当該第1の端部３に連なる当該糸条体２の部分１１を当該第1の端部３の存在する方向に牽引する事により、その開口部の大きさを調整出来る様に構成されている事が望ましい具体例である。
更に、本考案に係る当該閉鎖状輪状体部９では、当該閉鎖状輪状体部９に形成された当該閉鎖状開口部１３の大きさが任意に調整可能となるように構成されている事が特徴である。